(57)【要約】【課題】  店舗において更新が必要であることを判定して新しいカードを供給し、より確実に更新カードをユーザのもとに届けること。【解決手段】  ＩＣキャッシュカードを用いて金融関連の取引を行なうＡＴＭ１２１、更新時期を迎えたＩＣキャッシュカードを更新して新しいＩＣキャッシュカードを発行する重要媒体発行装置１３１、およびこれらを接続するネットワーク１４３は配置されている。ＡＴＭ１２１は、挿入されたＩＣキャッシュカード１２４を受け取り、ＩＣチップ内の情報を読み取るカード読取部１２３、ＩＣキャッシュカードから読み取られたユーザ情報などを送信して切り替え判定情報などを受信するＡＴＭ送受信部１２５、および本発明の更新処理や取引処理を制御する制御部１２２を備える。【選択図】  図１
2006309441.tif 000002
【特許請求の範囲】
【請求項１】
ユーザ情報を有するＩＣカードが挿入されると、該ユーザ情報を読み取る第１の読み取り手段と、ユーザが別途入力するユーザ認証情報を受け取るユーザ情報受け取り手段と、当該受け取られたユーザ認証情報をネットワークを介してホストコンピュータに送信しユーザ認証の可否の判定結果を受信してユーザ認証が可の場合、当該ＩＣカードにより特定される預金口座に関連する取引を実行する取引実行手段と、前記読み取られたユーザ情報をネットワークを介して送信するユーザ情報送信手段とを含む自動入出金機と、
前記自動入出金機から送信されたユーザ情報を受信するユーザ情報受信手段と、前記ユーザ情報により識別される前記ＩＣカードの有効期間を含むカード情報を格納するユーザデータベースと、前記ユーザデータベースから前記挿入されたＩＣカードの有効期間を読み出して、前記ＩＣカードの有効期間末日から所定期間前より一定の期間内であるときは、前記ＩＣカードを有効期間が更新された新たなＩＣカードに切り替えるものと判定して前記自動入出金機に通知するＩＣカード更新判定手段とを含むＩＣカード管理サーバと
を備えたことを特徴とするＩＣカード更新発行システム。
【請求項２】
前記自動入出金機は、新たなＩＣカードに切り替えるものと判定されたときは、前記挿入されたＩＣカードを回収し、当該ＩＣカードを回収したことを証する預かり票を発行して、ＩＣカードを更新した旨を前記ＩＣカード管理サーバに送信するＩＣカード回収手段をさらに含むことを特徴とする請求項１に記載のＩＣカード更新発行システム。
【請求項３】
前記更新用の素材ＩＣカードを保持して、前記更新判定手段により新たなＩＣカードに切り替えるものと判定されたときは素材ＩＣカードを供給するＩＣカード供給手段と、前記ＩＣカード管理サーバからユーザ情報を受信し、前記供給された新たなＩＣカードに新たな有効期間を書き込んで有効期間が更新された新たなＩＣカードを発行する第１の書き込み手段とを含むカード発行装置をさらに備えたことを特徴とする請求項１または２に記載のＩＣカード更新発行システム。
【請求項４】
ユーザ情報およびユーザ認証情報を有するＩＣカードが挿入されると、該ユーザ情報およびユーザ認証情報を読み取る第１の読み取り手段と、ユーザが別途入力するユーザ認証情報を受け取るユーザ情報受け取り手段と、前記ＩＣカードから読み取られたユーザ認証情報と、前記ユーザ情報受け取り手段により受け取られたユーザ認証情報とを比較しユーザ認証を行なって当該ＩＣカードにより特定される預金口座に関連する取引を実行する取引実行手段と、前記読み取られたユーザ情報をネットワークを介して送信するユーザ情報送信手段とを含む自動入出金機と、
前記自動入出金機から送信されたユーザ情報を受信するユーザ情報受信手段と、前記ユーザ情報により識別される前記ＩＣカードの有効期間を含むカード情報を格納するユーザデータベースと、前記ユーザデータベースから前記挿入されたＩＣカードの有効期間を読み出して、前記ＩＣカードの有効期間末日から所定期間前より一定の期間内であるときは、前記ＩＣカードを有効期間が更新された新たなＩＣカードに切り替えるものと判定して前記自動入出金機に通知するＩＣカード更新判定手段とを含むＩＣカード管理サーバと
を備えたことを特徴とするＩＣカード更新発行システム。
【請求項５】
前記自動入出金機は、新たなＩＣカードに切り替えるものと判定されたときは、前記挿入されたＩＣカードを回収し、当該ＩＣカードを回収したことを証する預かり票を発行して、ＩＣカードを更新した旨を前記ＩＣカード管理サーバに送信するＩＣカード回収手段をさらに含むことを特徴とする請求項４に記載のＩＣカード更新発行システム。
【請求項６】
前記更新用の素材ＩＣカードを保持して、前記更新判定手段により新たなＩＣカードに切り替えるものと判定されたときは素材ＩＣカードを供給するＩＣカード供給手段と、前記ＩＣカードが挿入されると、前記ユーザ認証情報を読み取る第２の読み取り手段と、前記ＩＣカード管理サーバからユーザ情報を受信し、前記供給された新たなＩＣカードに新たな有効期間、および前記第２の読み取り手段により読み取られた前記ＩＣカードのＩＣチップに含まれるユーザ認証情報を書き込んで有効期間が更新された新たなＩＣカードを発行する第２の書き込み手段とを含むカード発行装置をさらに備えたことを特徴とする請求項４または５に記載のＩＣカード更新発行システム。
【請求項７】
ユーザ情報を有するＩＣカードが挿入されると、該ユーザ情報を読み取る第１の読み取り手段と、ユーザが別途入力するユーザ認証情報を受け取るユーザ情報受け取り手段と、当該受け取られたユーザ認証情報をネットワークを介してホストコンピュータに送信しユーザ認証の可否の判定結果を受信してユーザ認証が可の場合、当該ＩＣカードにより特定される預金口座に関連する取引を実行する取引実行手段とを含む自動入出金機により、前記読み取られたユーザ情報をネットワークを介して送信するユーザ情報送信ステップと、
前記ユーザ情報により識別される前記ＩＣカードの有効期間を含むカード情報を格納するユーザデータベースを含むＩＣカード管理サーバにより、前記自動入出金機から送信されたユーザ情報を受信するユーザ情報受信ステップと、
前記ＩＣカード管理サーバのＩＣカード更新判定手段により、前記ユーザデータベースから前記挿入されたＩＣカードの有効期間を読み出して、前記ＩＣカードの有効期間末日から所定期間前より一定の期間内であるときは、前記ＩＣカードを有効期間が更新された新たなＩＣカードに切り替えるものと判定して前記自動入出金機に通知するＩＣカード更新判定手段とステップと
を備えたことを特徴とするＩＣカード更新発行方法。
【請求項８】
ユーザ情報およびユーザ認証情報を有するＩＣカードが挿入されると、該ユーザ情報およびユーザ認証情報を読み取るカード読み取り手段と、ユーザが別途入力するユーザ認証情報を受け取るユーザ情報受け取り手段と、前記ＩＣカードから読み取られたユーザ認証情報と、前記ユーザ情報受け取り手段により受け取られたユーザ認証情報とを比較しユーザ認証を行なって当該ＩＣカードにより特定される預金口座に関連する取引を実行する取引実行手段とを含む自動入出金機により、前記読み取られたユーザ情報をネットワークを介して送信するユーザ情報送信ステップと、
前記ユーザ情報により識別される前記ＩＣカードの有効期間を含むカード情報を格納するユーザデータベースを含むＩＣカード管理サーバにより、前記自動入出金機から送信されたユーザ情報を受信するユーザ情報受信ステップと、
前記ＩＣカード管理サーバのＩＣカード更新判定手段により、前記ユーザデータベースから前記挿入されたＩＣカードの有効期間を読み出して、前記ＩＣカードの有効期間末日から所定期間前より一定の期間内であるときは、前記ＩＣカードを有効期間が更新された新たなＩＣカードに切り替えるものと判定して前記自動入出金機に通知するＩＣカード更新判定ステップと
を備えたことを特徴とするＩＣカード更新発行方法。
【発明の詳細な説明】
【技術分野】
【０００１】
本発明は、ＩＣカード更新発行システムおよび方法に関し、より詳細には自動入出金機において使用されたＩＣカードの発行・更新を判定するＩＣカード更新発行システムおよび方法に関する。
【背景技術】
【０００２】
従来から、金融機関ではキャッシュカードを用いた自動入出金機（ＡＴＭ）が広く利用されており、暗証番号を入力することによりキャッシュカードの磁気ストライプに書き込まれた情報に基づいてユーザ認証が行なわれ、種々の金融取引が行なわれる。
【０００３】
近年では、セキュリティの問題などから磁気ストライプ付きのキャッシュカードに代わり、ＩＣチップを組み込んだＩＣキャッシュカードが提案されてきている。ＩＣキャッシュカードを用いた場合、磁気カードリーダライタなどを用いて偽造などが可能な従来のキャッシュカードと比較し、ＩＣチップに書き込まれた認証プログラムにより安全性の高い認証が可能だからである。
【０００４】
ここで、ＩＣキャッシュカードは、磁気ストライプ付きキャッシュカードと異なり所定の有効期間を設定しなければならず、有効期限が満了する前にカードを保有する各ユーザにＩＣキャッシュカードの更新が必要である。
【０００５】
このようにカードの更新を行なう方法としては、更新した新しいカードを郵送するという方法が提案されており（例えば、特許文献１参照）、実際には例えば各ユーザについて有効期間前１ヶ月といった一定の期間内に有効期間を更新した新しいカードが郵送される。この場合、通常は古いカードはユーザ側で処分するのが前提であり、システム側では有効期間が経過した古いカードを使用できないようにしている。
【０００６】
【特許文献１】特開２００１−２６６０７６号公報
【発明の開示】
【発明が解決しようとする課題】
【０００７】
しかしながら、従来のカード更新発行方法は、住所などのユーザ情報が正しいことを前提としたシステムであり、ユーザ情報の住所が誤っているときは新しいカードの更新ができない。すなわち、従来の磁気ストライプ付きキャッシュカードの場合有効期限というものがなかったため、ユーザは引越し等により住所が変更になっても一々届けない場合があり、そのような場合でも特に支障がなかったことから、ＩＣキャッシュカードになっても必ずしも住所の変更を届けることをユーザに期待することはできず、多くの未着ＩＣキャッシュカードが発生するおそれがある。
【０００８】
また、定期的に全てのカードを一律、郵送するのはコストが膨大となるという問題がある。
【０００９】
本発明は、このような問題に鑑みてなされたもので、有効期限が間近に迫ったＩＣキャッシュカードがＡＴＭで使用されると、更新が必要であると判定して店舗において新しいカードを発行し、より確実に更新カードをユーザのもとに届けることを目的とし、また一律に更新されたカードを全て郵送することを回避して郵送コストを削減することを目的とする。
【課題を解決するための手段】
【００１０】
このような目的を達成するために、請求項１のＩＣカード更新発行システムは、ユーザ情報を有するＩＣカードが挿入されると、ユーザ情報を読み取る第１の読み取り手段と、ユーザが別途入力するユーザ認証情報を受け取るユーザ情報受け取り手段と、受け取られたユーザ認証情報をネットワークを介してホストコンピュータに送信しユーザ認証の可否の判定結果を受信してユーザ認証が可の場合、ＩＣカードにより特定される預金口座に関連する取引を実行する取引実行手段と、読み取られたユーザ情報をネットワークを介して送信するユーザ情報送信手段とを含む自動入出金機と、自動入出金機から送信されたユーザ情報を受信するユーザ情報受信手段と、ユーザ情報により識別されるＩＣカードの有効期間を含むカード情報を格納するユーザデータベースと、ユーザデータベースから挿入されたＩＣカードの有効期間を読み出して、ＩＣカードの有効期間末日から所定期間前より一定の期間内であるときは、ＩＣカードを有効期間が更新された新たなＩＣカードに切り替えるものと判定して自動入出金機に通知するＩＣカード更新判定手段とを含むＩＣカード管理サーバとを備えたことを特徴とする。
【００１１】
請求項２に記載の発明は、請求項１に記載のＩＣカード更新発行システムにおいて、自動入出金機は、新たなＩＣカードに切り替えるものと判定されたときは、挿入されたＩＣカードを回収し、ＩＣカードを回収したことを証する預かり票を発行して、ＩＣカードを更新した旨をＩＣカード管理サーバに送信するＩＣカード回収手段をさらに含むことを特徴とする。
【００１２】
請求項３に記載の発明は、請求項１または２に記載のＩＣカード更新発行システムにおいて、更新用の素材ＩＣカードを保持して、更新判定手段により新たなＩＣカードに切り替えるものと判定されたときは素材ＩＣカードを供給するＩＣカード供給手段と、ＩＣカード管理サーバからユーザ情報を受信し、供給された新たなＩＣカードに新たな有効期間を書き込んで有効期間が更新された新たなＩＣカードを発行する第１の書き込み手段とを含むカード発行装置をさらに備えたことを特徴とする。
【００１３】
請求項４に記載のＩＣカード更新発行システムは、ユーザ情報およびユーザ認証情報を有するＩＣカードが挿入されると、ユーザ情報およびユーザ認証情報を読み取る第１の読み取り手段と、ユーザが別途入力するユーザ認証情報を受け取るユーザ情報受け取り手段と、ＩＣカードから読み取られたユーザ認証情報と、ユーザ情報受け取り手段により受け取られたユーザ認証情報とを比較しユーザ認証を行なってＩＣカードにより特定される預金口座に関連する取引を実行する取引実行手段と、読み取られたユーザ情報をネットワークを介して送信するユーザ情報送信手段とを含む自動入出金機と、自動入出金機から送信されたユーザ情報を受信するユーザ情報受信手段と、ユーザ情報により識別されるＩＣカードの有効期間を含むカード情報を格納するユーザデータベースと、ユーザデータベースから挿入されたＩＣカードの有効期間を読み出して、ＩＣカードの有効期間末日から所定期間前より一定の期間内であるときは、ＩＣカードを有効期間が更新された新たなＩＣカードに切り替えるものと判定して自動入出金機に通知するＩＣカード更新判定手段とを含むＩＣカード管理サーバとを備えたことを特徴とする。
【００１４】
請求項５に記載の発明は、請求項４に記載のＩＣカード更新発行システムにおいて、自動入出金機は、新たなＩＣカードに切り替えるものと判定されたときは、挿入されたＩＣカードを回収し、ＩＣカードを回収したことを証する預かり票を発行して、ＩＣカードを更新した旨をＩＣカード管理サーバに送信するＩＣカード回収手段をさらに含むことを特徴とする。
【００１５】
請求項６に記載の発明は、請求項４または５に記載のＩＣカード更新発行システムにおいて、更新用の素材ＩＣカードを保持して、更新判定手段により新たなＩＣカードに切り替えるものと判定されたときは素材ＩＣカードを供給するＩＣカード供給手段と、ＩＣカードが挿入されると、ユーザ認証情報を読み取る第２の読み取り手段と、ＩＣカード管理サーバからユーザ情報を受信し、供給された新たなＩＣカードに新たな有効期間、および第２の読み取り手段により読み取られたＩＣカードのＩＣチップに含まれるユーザ認証情報を書き込んで有効期間が更新された新たなＩＣカードを発行する第２の書き込み手段とを含むカード発行装置をさらに備えたことを特徴とする。
【００１６】
請求項７に記載のＩＣカード更新発行方法は、ユーザ情報を有するＩＣカードが挿入されると、ユーザ情報を読み取る第１の読み取り手段と、ユーザが別途入力するユーザ認証情報を受け取るユーザ情報受け取り手段と、受け取られたユーザ認証情報をネットワークを介してホストコンピュータに送信しユーザ認証の可否の判定結果を受信してユーザ認証が可の場合、ＩＣカードにより特定される預金口座に関連する取引を実行する取引実行手段とを含む自動入出金機により、読み取られたユーザ情報をネットワークを介して送信するユーザ情報送信ステップと、ユーザ情報により識別されるＩＣカードの有効期間を含むカード情報を格納するユーザデータベースを含むＩＣカード管理サーバにより、自動入出金機から送信されたユーザ情報を受信するユーザ情報受信ステップと、ＩＣカード管理サーバのＩＣカード更新判定手段により、ユーザデータベースから挿入されたＩＣカードの有効期間を読み出して、ＩＣカードの有効期間末日から所定期間前より一定の期間内であるときは、ＩＣカードを有効期間が更新された新たなＩＣカードに切り替えるものと判定して自動入出金機に通知するＩＣカード更新判定手段とステップとを備えたことを特徴とする。
【００１７】
請求項８に記載のＩＣカード更新発行方法は、ユーザ情報およびユーザ認証情報を有するＩＣカードが挿入されると、ユーザ情報およびユーザ認識情報を読み取るカード読み取り手段と、ユーザが別途入力するユーザ情報を受け取るユーザ情報受け取り手段と、ＩＣカードから読み取られたユーザ認証情報と、ユーザ情報受け取り手段により受け取られたユーザ認証情報とを比較しユーザ認証を行なってＩＣカードにより特定される預金口座に関連する取引を実行する取引実行手段とを含む自動入出金機により、読み取られたユーザ情報をネットワークを介して送信するユーザ情報送信ステップと、ユーザ情報により識別されるＩＣカードの有効期間を含むカード情報を格納するユーザデータベースを含むＩＣカード管理サーバにより、自動入出金機から送信されたユーザ情報を受信するユーザ情報受信ステップと、ＩＣカード管理サーバのＩＣカード更新判定手段により、ユーザデータベースから挿入されたＩＣカードの有効期間を読み出して、ＩＣカードの有効期間末日から所定期間前より一定の期間内であるときは、ＩＣカードを有効期間が更新された新たなＩＣカードに切り替えるものと判定して自動入出金機に通知するＩＣカード更新判定ステップとを備えたことを特徴とする。
【発明の効果】
【００１８】
以上説明したように、本発明によれば、ユーザデータベースから挿入されたＩＣカードの有効期間を読み出して、ＩＣカードの有効期間末日から所定期間前より一定の期間内であるときは、ＩＣカードを有効期間が更新された新たなＩＣカードに切り替えるものと判定するので、有効期限が間近に迫ったＩＣキャッシュカードがＡＴＭで使用されると、更新が必要であると判定して店舗において新しいカードを発行され、より確実に更新カードをユーザのもとに届けることが可能となる。
【００１９】
また、一律に更新されたカードを全て郵送することを回避して郵送コストを削減することが可能となる。
【発明を実施するための最良の形態】
【００２０】
（第１実施形態）
以下、図面を参照しながら本発明の実施形態について詳細に説明する。  
図１は、本発明にかかるＩＣカード更新発行システムの一実施形態を示すブロック図である。本実施形態のＩＣカード更新発行システムは、大きくセンターシステムと発行拠点とに分けることができる。このセンターシステムと発行拠点とは、ネットワーク１４１により接続されており、種々の情報のやり取りが行なわれる。
【００２１】
センターシステムは、主にホストコンピュータ１１１、カード発行システム１１２およびユーザデータベース１１３から構成されており、これらはネットワーク１４２により接続されている。ネットワーク１４２は、いずれの種類のネットワーク技術を用いることもできるが、通常はＬＡＮ（ローカルエリアネットワーク）が用いられる。
【００２２】
発行拠点には、通常、ＩＣキャッシュカードを用いて金融関連の取引を行なうＡＴＭ１２１、更新時期を迎えたＩＣキャッシュカードを更新して新しいＩＣキャッシュカードを発行する重要媒体発行装置１３１、およびこれらを接続するネットワーク１４３が配置されている。ネットワーク１４３は、通常ＬＡＮであるが、上記ＡＴＭ１２１および重要媒体発行装置１３１のほかに種々の業務端末およびサーバまたはコンピュータを接続する。
【００２３】
ここで、ＡＴＭ１２１は、挿入されたＩＣキャッシュカード１２４を受け取り、ＩＣチップ内の情報を読み取るカード読取部１２３、ＩＣキャッシュカードから読み取られたユーザ情報などを送信して切り替え判定情報などを受信するＡＴＭ送受信部１２５、および本発明の更新処理や取引処理を制御する制御部１２２を備える。図１に示すように発行拠点には、通常、複数のＡＴＭが配置されるが、基本的にここで説明した機能を有しており、その他の機能については各ＡＴＭで異なるようにすることもできる。また、重要媒体発行装置１３１は、後に詳述するように、更新された新たなＩＣキャッシュカード１３４を発行するカード発行部１３３を備えるが、更新されるべき古いＩＣキャッシュカード１２４を取り込むカード受付け部１３２も備えることができる。
【００２４】
以上のような構成を備えることにより、本システムでは、更新時期が近づいているＩＣキャッシュカード１２４がＡＴＭ１２１で使用されると、ホストコンピュータ１１１ではユーザデータベース１１３のユーザデータに基づいて、ネットワーク１４１を介しホストコンピュータ１１１に送信されたユーザ情報を持つＩＣキャッシュカードがその時点において更新の条件に合致するか否かを判定する。更新する必要があると判定したときは、その旨ＡＴＭ１２１に送信し、所定の手続きにより重要媒体発行装置１３１から有効期間を更新された新たなＩＣキャッシュカードが発行される。
【００２５】
図２は、本実施形態の重要媒体発行装置１３１の機能を概念的に示すブロック図である。重要媒体発行装置１３１は、ＩＣキャッシュカードの発行を制御する制御部２０１、新しいＩＣキャッシュカードの素材となる素材ＩＣカードを保持しておくスタッカ２０２、生体認証情報（生体情報により認証を行う場合）のほかカードに必要な情報を素材ＩＣカードに書き込む情報書き込み部２０３、情報が書き込まれた新しいＩＣキャッシュカードを発行するカード排出部２０４、およびオペレータと重要媒体発行装置１３１とのインタフェースをとるモニタ部２０５を備える。重要媒体発行装置１３１はさらに、カード受付け部１３２を備えることができ、古いカードの情報を読み込んで利用したり、古いカードをそのまま回収してユーザに古いカードを使用させないようにさせたりすることができる。ここで、素材カードはいずれの形態のものでもよく、一般には、その形態に対応して最終形態である発行される正規のＩＣキャッシュカードとするために必要な機能を重要媒体発行装置１３１に持たせればよい。本実施形態では、基本的に素材ＩＣカードは必要なプログラム／データが書き込まれたＩＣチップを埋め込まれ、所定の印刷がされており、ＩＣキャッシュカードとして発行するために、ＩＣチップに該当するユーザに関連する情報を書き込んで、必要であればエンボスを形成するだけでよい状態のものを用いる。
【００２６】
図６〜８は、本実施形態で使用するＩＣキャッシュカードを示す図である。図６に示すようにＩＣキャッシュカード６０１には、ＩＣチップ６０２が埋め込まれ、カード番号６０３、有効期限６０４および氏名６０５がエンボスされている。また、図７に示すようにＩＣチップ６０２には、一般にＣＰＵ７１２、ＲＡＭ７１３、ＲＯＭ７１４、ＥＥＰＲＯＭ７１５およびインタフェース７１１が含まれるがこれに限られない。さらに、図８に示すようにＥＥＰＲＯＭ７１５には所定の情報が格納されているが、格納される情報はこれに限られない。
【００２７】
本実施形態では、重要媒体発行装置１３１はネットワーク１４３を経由してホストコンピュータ１１１と接続され、単独でカードの発行が可能であるが、上述のＡＴＭ１２１内に含めることもできる。すなわち、重要媒体発行装置１３１に含まれる種々の機能をＡＴＭ１２１に配置し、例えば、一部機能が重複したカード読取部１２３とカード受付け部１３２とを共通化する等により、カード切り替え判定機能と新ＩＣキャッシュカードの発行機能とを一体化することもできる（図示せず）。本実施形態では更新が必要と判定されても改めて重要媒体発行装置１３１に古いカードを挿入するか、何らかの操作を行なって新カードを発行するが、このような一体化した装置構成とすることにより、判定から発行まで一連の処理で行なうことが可能となる。この場合、更新が必要である旨ユーザに知らせた後、発行するか否かのユーザ判断を待ってカード発行するようにすることもできる。
【００２８】
次に、以上説明したシステムを用いた本実施形態の処理を説明する。図３は、本実施形態のＩＣカード更新発行システムの処理を説明するフローを示す図である。ユーザがＡＴＭ１２１にＩＣキャッシュカードを挿入してユーザ認証情報および所定の取引を行なうための入力を行なうと、口座情報等のユーザ情報、ユーザ認証情報、および取引に必要な情報がホストコンピュータ１１１に送信され（Ｓ３０１）、ホストコンピュータ１１１では、ユーザ認証の可否を判断し、および取引ごとの所定の処理を実行する（Ｓ３０２）。その後、ユーザデータベース１１３を参照して、この取引で使用されているＩＣキャッシュカードが有効期限間近なため、更新された新たなカードに切り替える必要があるか否かを判定する。判定の後、ホストコンピュータ１１１は、ユーザ認証の可否とともに、カード切り替えが必要であると判定されたときはＡＴＭ１２１にその旨送信する（Ｓ３０３）。なお、本実施形態では、ユーザ認証を取引内容等の入力の後に行なっているが、これに限られることなくユーザがユーザ認証情報を入力するとすぐにホストコンピュータ１１１に送信し、ユーザ認証の可否を受信した後認証が行われたときのみ次の取引に進むようにすることもできる。また、ホストコンピュータ１１１からユーザ認証情報を受信して、ＡＴＭ１２１でユーザ認証を行なうこともできる。
【００２９】
ここで、本実施形態における新たなカードへの切り替えが必要であるか否かの判断手法を図４を参照して説明する。図４は、本実施形態のＡＴＭ取引時に切り替えを行なう時期を定める方法を説明するための図である。本実施形態では、ＡＴＭ取引時にカードの切替が行なわれなかった場合、最終的には直接ユーザに、更新されたＩＣキャッシュカードを郵送する。したがって、新しいＩＣキャッシュカードを郵送した後にＡＴＭ取引でカードが切り替えられることのないように、所定のＡＴＭ発行禁止期間を設けるよう手順を定める必要がある。本実施形態では、上述の郵送による発行を有効期限の１ヶ月前に判断して、発送作業を開始する。具体的には、金融機関によって月ごとの締め日が定められているので、有効期限の月の前月（通常は有効期限は月末であるものとする）の締め日を判定を行なう基準日とする。すなわち、本実施形態では、有効期間末日から所定期間前より一定の期間として、この基準日の１ヶ月前から基準日までの期間が対象となり、ＡＴＭ取引がこの期間内に行われた場合は更新された新たなＩＣキャッシュカードに切り替える必要があるものと判定する。
【００３０】
ホストコンピュータ１１１から切り替えが必要との通知を受信すると、ＡＴＭ１２１は、所定のメッセージを表示して（Ｓ３０４）、預り証を発行し係員が古いＩＣキャッシュカードを回収する（Ｓ３０５）。ここで、ユーザは任意に古いＩＣキャッシュカードを持って重要媒体発行装置１３１まで持っていくこともでき、その場合は預り証は発行されないようにすることもできる。このようにして、カードの切り替えを行なうことが確定すると、ＡＴＭ１２１はホストコンピュータ１１１に切り替えの実行を通知し（Ｓ３０６）、これを受けたホストコンピュータ１１１は、重要媒体発行装置１３１に更新に必要な情報を送信し、所定の処理を行う（Ｓ３０７）。ここで、所定の処理とは切り替えが行われたことをユーザデータベース１１３に記録する処理、およびユーザの口座から更新手数料を引き落とす処理が含まれるが、これに限られない。なお、以上の処理の全てまたは一部は、以下に説明するカードの発行が終了したのを確認してから行なうこともできる。
【００３１】
一方、預り証を受け取ったユーザが重要媒体発行装置１３１において、オペレータに新しいＩＣキャッシュカードの発行の操作を依頼すると、ホストコンピュータ１１１から送信された更新データにより、更新された新たなＩＣキャッシュカードが発行される（Ｓ３０８）。この際、重要媒体発行装置１３１は、カードが発行された旨ホストコンピュータ１１１に通知することもできる。オペレータは、ユーザに預り証と引き換えに発行されたＩＣキャッシュカードを渡す（Ｓ３０９）。ここで、古いカードをオペレータが回収しない構成の場合は、ユーザは重要媒体発行装置１３１に古いカードを挿入して、同様に更新された新たなＩＣキャッシュカードの発行を受けることもできる。
【００３２】
以上の処理により、ＩＣキャッシュカードの更新発行が行われるが、ユーザのＡＴＭ取引が上述の基準日以降になり、結局ＡＴＭでの発行がされなかった場合には、カード発行システム１１２はユーザデータベース１１３を参照してＡＴＭを用いては更新されていないことを確認して、更新された新たなＩＣキャッシュカードを発行し、郵送により発送する。したがって、基準日から有効期限までは古いカードによりＡＴＭでの取引が可能であるが、切り替えはできないため、例えば、新しいＩＣキャッシュカードが郵送されている旨ユーザに通知するような構成とすることもできる。あるいは、郵送先の住所の確認等を促すことも可能である。また、この期間内に郵送された新しいＩＣキャッシュカードが使用された後は、新しいカードの内容にシステムを切り替え、古いＩＣキャッシュカードを使用できないようにすることもできる。
【００３３】
（第２実施形態）
本実施形態では上述の第１実施形態と比較して、認証情報に生体認証情報を用いているＩＣキャッシュカードを使用する点で異なっている。図５は、本実施形態のＩＣカード更新発行システムの処理を説明するフローを示す図である。第１実施形態のフローと同様のステップは同一の符号を付して説明は省略する。
【００３４】
本実施形態では、ユーザ認証情報を、更新された新たなカードに移す方法が第１実施形態と異なる。一般に、生体情報を用いた認証は、パスワードを用いた従来の方法とは、第１にそのデータ量に違いがある。第２としては、生体情報は極めて個人的な情報であるため取り扱いに厳重な注意が必要であるという点で相違する。したがって、生体情報を用いたユーザ認証を行なう場合、通常、ＩＣチップ内に直接書き込み、ホストコンピュータ等企業や金融機関側では一切保持しない方法がとられる。本実施形態でも、生体情報はＩＣキャッシュカードのＩＣチップ内に格納されており、したがって、ユーザ認証情報は第１実施形態のときのようにホストコンピュータからダウンロードされるのではなく、更新前の古いカードから直接新しいカードに移される。したがって、ユーザ認証は、第１実施形態の場合と異なり、ホストコンピュータ１１１と通信することなくＩＣカードに格納された認証情報と、現に採取されたユーザの生体情報とを比較することによってＡＴＭ１３１内で行なうことができる。
【００３５】
図５を参照して本実施形態の処理を説明すると、ＡＴＭ１２１において切り替えが必要と判定されると、ユーザは重要媒体発行装置１３１に古いカードを挿入する。古いカードが挿入されて所定の操作が行なわれると、素材カードのＩＣチップに古いカードの生体情報が転送され格納される（Ｓ５０１）。その後、さらに必要な情報がホストコンピュータから送信され、ＩＣチップに書き込まれて更新された新しいＩＣキャッシュカードが発行される。（Ｓ３０８、３０９）。この場合、ＡＴＭ１２１と重要媒体発行装置１３１とが一体化されていれば、以上の処理が連続的に行われるのは第１実施形態と同様である。なお、ここで説明した処理のうちＩＣチップへ書き込むステップの順序は基本的に変更可能である。
【００３６】
以上により、第１実施形態の効果に加えてユーザ認証情報として生体情報を用いる場合、大量の情報をダウンロードする必要がなく、またユーザのプライバシーも保護することができるのである。
【図面の簡単な説明】
【００３７】
【図１】本発明にかかるＩＣカード更新発行システムの一実施形態を示すブロック図である。
【図２】本実施形態の重要媒体発行装置１３１の機能を概念的に示すブロック図である。
【図３】本実施形態のＩＣカード更新発行システムの処理を説明するフローを示す図である。
【図４】本実施形態のＡＴＭ取引時に切り替えを行なう時期を定める方法を説明するための図である。
【図５】本実施形態のＩＣカード更新発行システムの処理を説明するフローを示す図である。
【図６】本実施形態で使用するＩＣキャッシュカードを示す図である。
【図７】本実施形態で使用するＩＣキャッシュカードを示す図である。
【図８】本実施形態で使用するＩＣキャッシュカードを示す図である。
【符号の説明】
【００３８】
１１１  ホストコンピュータ
１１２  カード発行システム
１１３  ユーザデータベース
１２１  ＡＴＭ
１２２、２０１  制御部
１２３  カード読取部
１２４、１３４  ＩＣキャッシュカード
１２５  ＡＴＭ送受信部
１３１  重要媒体発行装置
１３２  カード受付け部
１３３  カード発行部
１４１〜１４３  ネットワーク
２０２  スタッカ
２０３  情報書き込み部
２０４カード発行部
２０５  モニタ部
６０１  カード
７１１  インタフェース
７１２  ＣＰＵ
７１３  ＲＡＭ
７１４  ＲＯＭ
７１５  ＥＥＰＲＯＭ
【図１】
2006309441.tif 000003
【図２】
2006309441.tif 000004
【図３】
2006309441.tif 000005
【図４】
2006309441.tif 000006
【図５】
2006309441.tif 000007
【図６】
2006309441.tif 000008
【図７】
2006309441.tif 000009
【図８】
2006309441.tif 000010